(57)【要約】先進ネットワーク（例えば、４Ｇ、５Ｇ及びそれ以降）において復調基準信号を使用するチャネル状態情報の特定を容易にすることが本明細書中に提供される。システムの動作は、第１のチャネル状態情報を通信ネットワークのネットワークデバイスに通信することを含み得る。第１のチャネル状態情報は、受信された基準信号に基づいて特定され得る。動作は、ネットワークデバイスから受信される、スケジュール設定された復調基準信号に基づいて第２のチャネル状態情報を特定し、且つプリコーディング行列インデックス、ランク情報及びチャネル品質インデックス情報を特定することを含み得る。更に、動作は、第２のチャネル状態情報をネットワークデバイスに通信することを含み得る。【選択図】図６
2022502930.tif 000002
【特許請求の範囲】
【請求項１】
システムであって、
プロセッサと、
前記プロセッサによって実行されると、動作の実行を容易にする実行可能命令を記憶するメモリと
を含み、前記動作は、
第１のチャネル状態情報を通信ネットワークのネットワークデバイスに通信することであって、前記第１のチャネル状態情報は、受信された基準信号に基づいて特定される、通信することと、
前記ネットワークデバイスから受信される、スケジュール設定された復調基準信号に基づいて第２のチャネル状態情報を特定し、且つプリコーディング行列インデックス、ランク情報及びチャネル品質インデックス情報を特定することと、
前記第２のチャネル状態情報を前記ネットワークデバイスに通信することと
を含む、システム。
【請求項２】
前記第２のチャネル状態情報を前記特定することは、物理ダウンリンク共有チャネルを復号することと時間的に近接して実行される、請求項１に記載のシステム。
【請求項３】
前記物理ダウンリンク共有チャネルを前記復号すること及び前記第２のチャネル状態情報を前記特定することは、有効チャネル上の信号対干渉プラス雑音比を特定することと同じスロットにおいて実行される、請求項２に記載のシステム。
【請求項４】
前記第２のチャネル状態情報を前記特定することは、有効チャネルを推定することを含み、前記動作は、前記有効チャネルを新しいチャネルとして使用することを更に含む、請求項１に記載のシステム。
【請求項５】
前記通信することは、前記チャネル品質インデックス情報、前記プリコーディング行列インデックス及び前記ランク情報を前記ネットワークデバイスに通信することを含む、請求項１に記載のシステム。
【請求項６】
前記動作は、前記ランク情報の第１のランクが物理ダウンリンク共有チャネル送信の第２のランク以下であることを特定することを更に含む、請求項５に記載のシステム。
【請求項７】
前記第２のチャネル状態情報を前記特定することは、相互情報を使用してリンク品質メトリックを特定することを含む、請求項１に記載のシステム。
【請求項８】
前記第２のチャネル状態情報を前記特定することは、容量情報を使用してリンク品質メトリックを特定することを含む、請求項１に記載のシステム。
【請求項９】
前記第２のチャネル状態情報を前記通信することは、予め符号化されたチャネルを使用して前記第２のチャネル状態情報を通信することを含む、請求項１に記載のシステム。
【請求項１０】
前記予め符号化されたチャネルは、第５世代無線ネットワーク通信プロトコルに従って動作するように構成される、請求項９に記載のシステム。
【請求項１１】
通信ネットワークのモバイルデバイスにより、且つ前記通信ネットワークのネットワークデバイスに対して、受信された基準信号に基づいて特定される第１のチャネル状態情報の第１の送信を容易にすることであって、前記モバイルデバイスは、プロセッサを含む、容易にすることと、
前記モバイルデバイスにより、前記ネットワークデバイスから受信される復調基準信号に基づいて第２のチャネル状態情報を特定することと、
前記モバイルデバイスにより、前記ネットワークデバイスへの前記第２のチャネル状態情報の第２の送信を容易にすることであって、前記第２のチャネル状態情報は、チャネル品質インデックス情報を含む、容易にすることと
を含む方法。
【請求項１２】
前記第２の送信を前記容易にすることは、予め符号化されたチャネルを使用して前記ネットワークデバイスへの前記第２の送信を容易にすることを含む、請求項１１に記載の方法。
【請求項１３】
前記第２のチャネル状態情報を前記特定することは、物理ダウンリンク共有チャネル復号時間中に前記第２のチャネル状態情報を特定することを含む、請求項１１に記載の方法。
【請求項１４】
前記モバイルデバイスにより、物理ダウンリンク共有チャネルを復号することと、
前記モバイルデバイスにより、前記物理ダウンリンク共有チャネルを前記復号すること及び前記第２のチャネル状態情報を前記特定することと同じスロット中に有効チャネル上の信号対干渉プラス雑音比を特定することと
を更に含む、請求項１１に記載の方法。
【請求項１５】
前記第２のチャネル状態情報を前記特定することは、相互情報を使用してリンク品質メトリックを特定することを含む、請求項１１に記載の方法。
【請求項１６】
前記第２のチャネル状態情報を前記特定することは、容量情報を使用してリンク品質メトリックを特定することを含む、請求項１１に記載の方法。
【請求項１７】
システムであって、
プロセッサと、
前記プロセッサによって実行されると、動作の実行を容易にする実行可能命令を記憶するメモリと
を含み、前記動作は、
モバイルデバイスから、第１のプリコーディング行列で送信される第１の基準信号のための第１のチャネル状態情報を受信することと、
前記第１のプリコーディング行列に基づいて第２のプリコーディング行列を特定することと、
前記第２のプリコーディング行列で第２の基準信号を前記モバイルデバイスに送信することと
を含む、システム。
【請求項１８】
前記第２のプリコーディング行列を前記特定することは、前記第１のプリコーディング行列を含む以前に使用されたプリコーディング行列の乗算を使用することを含む、請求項１７に記載のシステム。
【請求項１９】
前記動作は、
前記モバイルデバイスから、前記第２の基準信号に基づいて第２のチャネル状態情報を受信することと、
前記第１のプリコーディング行列及び前記第２のプリコーディング行列の関数として第３のプリコーディング行列を特定することと
を更に含む、請求項１７に記載のシステム。
【請求項２０】
前記送信することは、第５世代無線ネットワーク通信プロトコルに従って動作するように構成されるチャネルを使用して前記第２の基準信号を送信することを含む、請求項１７に記載のシステム。
【発明の詳細な説明】
【技術分野】
【０００１】
関連出願の相互参照
本出願は、２０１８年９月２８日に出願された「ＣＨＡＮＮＥＬ  ＳＴＡＴＥ  ＩＮＦＯＲＭＡＴＩＯＮ  ＤＥＴＥＲＭＩＮＡＴＩＯＮ  ＵＳＩＮＧ  ＤＥＭＯＤＵＬＡＴＩＯＮ  ＲＥＦＥＲＥＮＣＥ  ＳＩＧＮＡＬＳ  ＩＮ  ＡＤＶＡＮＣＥＤ  ＮＥＴＷＯＲＫＳ」という名称の米国非仮特許出願米国特許出願公開第１６／１４６，６１８号明細書に対する優先権を主張し、これは、参照により本明細書に組み込まれる。
【０００２】
本開示は、概して、移動体通信の分野に関し、より詳細には、先進ネットワーク（例えば、４Ｇ、５Ｇ及びそれ以降）のための無線通信システムにおけるチャネル状態情報の特定及び報告に関する。
【背景技術】
【０００３】
データセントリックアプリケーションに関する莫大な需要を満たすために、第３世代パートナーシッププロジェクト（３ＧＰＰ）システム及び無線通信に関する第４世代（４Ｇ）規格の仕様の１つ以上の態様を利用するシステムは、無線通信に関する第５世代（５Ｇ）規格に拡張されることになる。無線通信に関する今後の５Ｇ又は他の次世代ネットワーク規格に関連付けられるサービスレベルを提供するには、特有の課題がある。
【発明の概要】
【課題を解決するための手段】
【０００４】
種々の非限定的な実施形態が添付の図面を参照して更に説明される。
【図面の簡単な説明】
【０００５】
【図１】本開示の種々の態様及び実施形態による例示的で非限定的な無線通信システムを示す。
【図２】１つ以上の実施形態による、ネットワークノードとユーザー機器との間のメッセージシーケンスチャートの例示的で非限定的なシステムブロック概略図を示す。
【図３】１つ以上の実施形態による、物理ダウンリンク共有チャネル送信のためのコーディングチェーンを含む多入力多出力通信システムの一部の例示的で非限定的な表現を示す。
【図４】本明細書中に説明する１つ以上の実施形態によるランク情報分布のチャートを示す。
【図５】本明細書中に説明する１つ以上の実施形態によるプリコーディング行列インデックス分布のチャートを示す。
【図６】１つ以上の実施形態による、復調基準信号を用いるネットワークノードとユーザー機器との間のメッセージシーケンスチャートの例示的で非限定的なシステムブロック概略図を示す。
【図７】１つ以上の実施形態による、ＬＴＥ／ＬＴＥ−Ａシステムにおける４×４多入力多出力のための網羅的なプリコーディング行列インデックス及びランク情報検索の例示的なシステムブロック概略図を示す。
【図８】本明細書中に説明する１つ以上の実施形態による、チャネル品質情報を特定するための例示的で非限定的な方法を示す。
【図９】本明細書中に説明する１つ以上の実施形態による、無線通信を容易にするシステムアーキテクチャに関与するように動作可能な例示的なモバイルハンドセットの例示的なブロック図を示す。
【図１０】本明細書中に説明する１つ以上の実施形態による、無線通信を容易にするシステムアーキテクチャに関与するように動作可能な例示的なコンピューターの例示的なブロック図を示す。
【発明を実施するための形態】
【０００６】
ここで、１つ以上の実施形態は、例示の実施形態が示されている添付の図面を参照して以下でより詳細に説明される。以下の説明では、種々の実施形態の十分な理解を提供するために、説明の目的上、多くの具体的な詳細が記述される。しかしながら、これらの具体的な詳細を用いることなく（且つ任意の特定のネットワーク化された環境又は規格に適用することなく）、種々の実施形態を実施できる。
【０００７】
本明細書中に説明するのは、先進ネットワークにおいて復調基準信号を使用するチャネル状態情報の特定を容易にすることができるシステム、方法、製品及び他の実施形態又は実装形態である。一実施形態によれば、本明細書中に説明するのは、プロセッサと、プロセッサによって実行されると、動作の実行を容易にする実行可能命令を記憶するメモリとを含むことができるシステムである。動作は、第１のチャネル状態情報を通信ネットワークのネットワークデバイスに通信することを含み得る。第１のチャネル状態情報は、受信された基準信号に基づいて特定され得る。動作は、ネットワークデバイスから受信される、スケジュール設定された復調基準信号に基づいて第２のチャネル状態情報を特定し、且つプリコーディング行列インデックス、ランク情報及びチャネル品質インデックス情報とを特定することを含み得る。更に、動作は、第２のチャネル状態情報をネットワークデバイスに通信することを含み得る。
【０００８】
一例において、第２のチャネル状態情報を特定することは、物理ダウンリンク共有チャネルを復号することと時間的に近接して（例えば、ほぼ同時に）実行され得る。更なる例において、物理ダウンリンク共有チャネルを復号すること及び第２のチャネル状態情報を特定することは、有効チャネル上の信号対干渉プラス雑音比を特定することと同じスロットにおいて実行され得る。
【０００９】
幾つかの実装形態によれば、第２のチャネル状態情報を特定することは、有効チャネルを推定することを含み得る。これらの実装形態に加えて、動作は、有効チャネルを新しいチャネルとして使用することを含み得る。
【００１０】
幾つかの実装形態において、動作は、プリコーディング行列インデックス及びランク情報を特定することを含み得る。第２のチャネル状態情報を通信することは、チャネル品質インデックス情報、プリコーディング行列インデックス及びランク情報をネットワークデバイスに通信することを含み得る。これらの実装形態に加えて、動作は、ランク情報の第１のランクが物理ダウンリンク共有チャネル送信の第２のランク以下であることを特定することを含み得る。
【００１１】
別の実装形態において、第２のチャネル状態情報を特定することは、相互情報を使用してリンク品質メトリックを特定することを含み得る。他の実装形態において、第２のチャネル状態情報を特定することは、容量情報を使用してリンク品質メトリックを特定することを含み得る。
【００１２】
幾つかの実装形態によれば、第２のチャネル状態情報を通信することは、予め符号化されたチャネルを使用して第２のチャネル状態情報を通信することを含み得る。これらの実装形態に加えて、予め符号化されたチャネルは、第５世代無線ネットワーク通信プロトコルに従って動作するように構成され得る。
【００１３】
別の実施形態において、通信ネットワークのモバイルデバイスにより、且つ通信ネットワークのネットワークデバイスに対して、受信された基準信号に基づいて特定される第１のチャネル状態情報の第１の送信を容易にすることを含み得る方法が提供され、モバイルデバイスは、プロセッサを含む。方法は、モバイルデバイスにより、ネットワークデバイスから受信される復調基準信号に基づいて第２のチャネル状態情報を特定することも含み得る。更に、方法は、モバイルデバイスにより、ネットワークデバイスへの第２のチャネル状態情報の第２の送信を容易にすることを含み得る。第２のチャネル状態情報は、チャネル品質インデックス情報を含むことができる。
【００１４】
一例において、第２の送信を容易にすることは、予め符号化されたチャネルを使用してネットワークデバイスへの第２の送信を容易にすることを含み得る。別の例において、第２のチャネル状態情報を特定することは、物理ダウンリンク共有チャネル復号時間中に第２のチャネル状態情報を特定することを含み得る。
【００１５】
幾つかの実装形態において、方法は、モバイルデバイスにより、物理ダウンリンク共有チャネルを復号することを含み得る。方法は、モバイルデバイスにより、物理ダウンリンク共有チャネルを復号すること及び第２のチャネル状態情報を特定することと同じスロット中に有効チャネル上の信号対干渉プラス雑音比を特定することも含み得る。
【００１６】
幾つかの実装形態によれば、第２のチャネル状態情報を特定することは、相互情報を使用してリンク品質メトリックを特定することを含み得る。幾つかの実装形態によれば、第２のチャネル状態情報を特定することは、容量情報を使用してリンク品質メトリックを特定することを含み得る。
【００１７】
別の実施形態によれば、プロセッサと、プロセッサによって実行されると、動作の実行を容易にする実行可能命令を格納するメモリとを含むシステムが提供される。動作は、モバイルデバイスから、第１のプリコーディング行列で送信される第１の基準信号のための第１のチャネル状態情報を受信することを含み得る。動作は、第１のプリコーディング行列に基づいて第２のプリコーディング行列を特定することも含み得る。更に、動作は、第２のプリコーディング行列で第２の基準信号をモバイルデバイスに送信することを含み得る。
【００１８】
一例において、第２のプリコーディング行列を特定することは、第１のプリコーディング行列を含む以前に使用されたプリコーディング行列の乗算を使用することを含み得る。別の例によれば、第２の基準信号を送信することは、第５世代無線ネットワーク通信プロトコルに従って動作するように構成されるチャネルを使用して第２の基準信号を送信することを含み得る。
【００１９】
別の例において、動作は、モバイルデバイスから、第２の基準信号に基づいて第２のチャネル状態情報を受信することを含み得る。更に、動作は、第１のプリコーディング行列及び第２のプリコーディング行列の関数として第３のプリコーディング行列を特定することを含み得る。
【００２０】
本明細書において説明される種々の態様は、Ｎｅｗ  Ｒａｄｉｏ（ＮＲ）に関することができ、Ｎｅｗ  Ｒａｄｉｏは、スタンドアローン無線アクセス技術又は例えばロングタームエボリューション（ＬＴＥ）等、別の無線アクセス技術によって支援される非スタンドアローン無線アクセス技術として展開することができる。種々の態様及び実施形態を本明細書において５Ｇ、ユニバーサルモバイル電気通信システム（ＵＭＴＳ）及び／又はロングタームエボリューション（ＬＴＥ）又は他の次世代ネットワークに関連して説明してきたが、その技法を３Ｇ、４Ｇ又はＬＴＥシステムでも適用することができるため、開示される態様は、５Ｇ、ＵＭＴＳ実装形態及び／又はＬＴＥ実装形態に限定されないことに留意するべきである。例えば、開示される実施形態の態様又は特徴は、実質的に任意の無線通信技術において活用することができる。そのような無線通信技術は、ＵＭＴＳ、符号分割多重アクセス（ＣＤＭＡ）、Ｗｉ−Ｆｉ、ワールドワイドインターオペラビリティフォーマイクロウェーブアクセス（ＷｉＭＡＸ）、汎用パケット無線サービス（ＧＰＲＳ）、拡張ＧＰＲＳ、第３世代パートナーシッププロジェクト（３ＧＰＰ）、ＬＴＥ、第３世代パートナーシッププロジェクト２（３ＧＰＰ２）ウルトラモバイルブロードバンド（ＵＭＢ）、高速パケットアクセス（ＨＳＰＡ）、発展型高速パケットアクセス（ＨＳＰＡ＋）、高速ダウンリンクパケットアクセス（ＨＳＤＰＡ）、高速アップリンクパケットアクセス（ＨＳＵＰＡ）、Ｚｉｇｂｅｅ又は別のＩＥＥＥ  ８０２．ＸＸ技術を含むことができる。更に、本明細書において開示される実質的に全ての態様をレガシー電気通信技術において活用することができる。
【００２１】
本明細書において用いられる場合、「５Ｇ」は、ＮＲアクセスと称することもできる。従って、先進ネットワークのための無線通信システムにおいてチャネル状態情報の特定及び報告を容易にするためのシステム、方法及び／又は機械可読記憶媒体が望まれる。本明細書において用いられる場合、５Ｇネットワークの１つ以上の態様は、数万人のユーザーのためにサポートされる数十メガビット／秒（Ｍｂｐｓ）のデータレート、数十人のユーザー（例えば、同じオフィスフロアにいる数十人の労働者）に同時に提供される少なくとも１ギガビット／秒（Ｇｂｐｓ）、マッシブセンサー展開のためにサポートされる数十万の同時接続、４Ｇと比較して大幅に高められたスペクトル効率、４Ｇに対するカバレッジの改善、４Ｇと比較して高められたシグナリング効率及び／又はＬＴＥと比較して大幅に低減されたレイテンシーを含むことができるが、これらに限定されるものではない。
【００２２】
多入力多出力（ＭＩＭＯ）システムは、無線システムのデータ搬送容量を大幅に向上させることができる。これらの理由から、ＭＩＭＯは、第３及び第４世代無線システムの不可欠な部分である。５Ｇシステムは、大規模ＭＩＭＯシステムとも呼ばれる（例えば、送信機側及び／又は受信機側に数百のアンテナ）ＭＩＭＯシステムも用いることができる。（Ｎｔ，Ｎｒ）システムの一例において、ここで、Ｎｔは、送信アンテナの数を意味し、Ｎｒは、受信アンテナの数を意味し、ここで、Ｎは、整数であり、ピークデータレートは、リッチな散乱環境においてシングルアンテナシステムに比べてＮｔ倍になる。
【００２３】
図１は、本開示の種々の態様及び実施形態による例示的で非限定的な無線通信システム１００を示す。例示的な実施形態において、無線通信システム１００は、１つ以上の無線通信ネットワークプロバイダーによってサービス提供される無線通信ネットワークであるか又はそれを含む。例示的な実施形態において、無線通信システム１００は、１つ以上のユーザー機器（ＵＥ）１０２（例えば、１０２１、１０２２．．．１０２ｎ）を含むことができ、ユーザー機器は、垂直素子及び水平素子を含む１つ以上のアンテナパネルを含むことができる。ＵＥ１０２は、携帯電話、スマートフォン、セルラー使用可能なラップトップ（例えば、ブロードバンドアダプタを含む）、タブレットコンピューター、ウェアラブルデバイス、仮想現実（ＶＲ）デバイス、ヘッドアップディスプレイ（ＨＵＤ）デバイス、スマートカー、マシンタイプ通信（ＭＴＣ）デバイス等のような任意のユーザー機器デバイスであり得る。ＵＥ１０２は、無線通信することができるモノのインターネット（ＩｏＴ）デバイスも含み得る。ＵＥ１０２は、汎欧州デジタル移動体通信（ＧＳＭ）システムにおける移動局（ＭＳ）にほぼ対応することができる。従って、ネットワークノード１０４（例えば、ネットワークノードデバイス）は、ＵＥと広域セルラーネットワークとの間の接続性を提供することができ、ネットワークノード１０４を介するＵＥと無線通信ネットワーク（例えば、１つ以上の通信サービスプロバイダーネットワーク１０６）との間の無線通信を容易にすることができる。ＵＥ１０２は、通信データをネットワークノード１０４に無線で送信及び／又は受信することができる。ネットワークノード１０４からＵＥ１０２への破線矢印線は、ダウンリンク（ＤＬ）通信を表し、ＵＥ１０２からネットワークノード１０４への実線矢印線は、アップリンク（ＵＬ）通信を表す。
【００２４】
ネットワークノード（例えば、ネットワークノードデバイス）という非限定的な用語は、ＵＥ１０２をサービングし、且つ／又は他のネットワークノード、ネットワーク要素又はＵＥ１０２がそれから無線信号を受信することができる別のネットワークノードに接続される任意のタイプのネットワークノードを指すために本明細書において用いることができる。セルラー無線アクセスネットワーク（例えば、ユニバーサル移動体通信システム（ＵＭＴＳ）ネットワーク）において、ネットワークノードは、ベーストランシーバー基地局（ＢＴＳ）、無線基地局、無線ネットワークノード、基地局、Ｎｏｄｅ  Ｂ、ｅＮｏｄｅ  Ｂ（例えば、発展型Ｎｏｄｅ  Ｂ）等と称することができる。５Ｇ用語において、ノードは、ｇＮｏｄｅ  Ｂ（例えば、ｇＮＢ）デバイスと称することができる。また、ネットワークノードは、種々の伝送動作（例えば、ＭＩＭＯ動作）を実行するための複数のアンテナを含むこともできる。ネットワークノードは、キャビネット及び他の保護された筐体、アンテナマスト及び実際のアンテナを含むことができる。ネットワークノードは、アンテナの構成及び種類に応じて、セクターとも呼ばれる幾つかのセルに対応することができる。ネットワークノード（例えば、ネットワークノード１０４）の例は、Ｎｏｄｅ  Ｂデバイス、基地局（ＢＳ）デバイス、アクセスポイント（ＡＰ）デバイス及び無線アクセスネットワーク（ＲＡＮ）デバイスを含むことができるが、これらに限定されない。ネットワークノード１０４は、ＭＳＲ  ＢＳ、ｅＮｏｄｅ  Ｂ、ネットワークコントローラー、無線ネットワークコントローラー（ＲＮＣ）、基地局コントローラー（ＢＳＣ）、リレー、ドナーノード制御リレー、ベーストランシーバー基地局（ＢＴＳ）、送信ポイント、送信ノード、リモート無線ユニット（ＲＲＵ）、リモート無線ヘッド（ＲＲＨ）、分散アンテナシステム（ＤＡＳ）内のノード等を含むマルチスタンダード無線（ＭＳＲ）無線ノードデバイスを含むこともできる。
【００２５】
無線通信システム１００は、ネットワークノード１０４を介して、ＵＥ１０２を含む種々のＵＥに無線通信サービスを提供することを容易にすることができる１つ以上の通信サービスプロバイダーネットワーク１０６及び／又は１つ以上の通信サービスプロバイダーネットワーク１０６内に含まれる種々の追加ネットワークデバイス（図示せず）を更に含むことができる。１つ以上の通信サービスプロバイダーネットワーク１０６は、セルラーネットワーク、フェムトネットワーク、ピコセルネットワーク、マイクロセルネットワーク、インターネットプロトコル（ＩＰ）ネットワーク、Ｗｉ−Ｆｉサービスネットワーク、ブロードバンドサービスネットワーク、エンタープライズネットワーク、クラウドベースネットワーク等を含む様々な種類の異種ネットワークを含むことができる。例えば、少なくとも１つの実装形態において、無線通信システム１００は、種々の地理的エリアに及ぶ大規模無線通信ネットワークであり得るか又はそれを含み得る。この実装形態によれば、１つ以上の通信サービスプロバイダーネットワーク１０６は、無線通信ネットワーク及び／又は無線通信ネットワークの種々の更なるデバイス及び構成要素（例えば、更なるネットワークデバイス及びセル、更なるＵＥ、ネットワークサーバーデバイス等）であり得るか又はそれらを含み得る。ネットワークノード１０４は、１つ以上のバックホールリンク１０８を介して１つ以上の通信サービスプロバイダーネットワーク１０６に接続することができる。例えば、１つ以上のバックホールリンク１０８は、Ｔ１／Ｅ１電話線、デジタル加入者線（ＤＳＬ）（例えば、同期又は非同期）、非対称ＤＳＬ（ＡＤＳＬ）、光ファイバーバックボーン、同軸ケーブル等の有線リンク構成要素を含むことができる。１つ以上のバックホールリンク１０８は、限定はしないが、地上エアインターフェース又はディープスペースリンク（例えば、ナビゲーションのための衛星通信リンク）を含むことができる見通し線（ＬＯＳ）又は非ＬＯＳリンク等の無線リンク構成要素も含むことができる。
【００２６】
一例において、ＵＥ１０２は、基準信号をネットワークノード１０４に送り返すことができる。ネットワークノード１０４は、ＵＥ１０２から受信した基準信号を受け取り、視線内の物体、天気、動き、干渉等のような種々の要因によって影響を受ける可能性があるチャネルの状態を推定することができ、より多くの問題（例えば、干渉）を補正した後、ＵＥ１０２に送信する各アンテナに対するビームフォーミングレートを調整することができ、ＵＥ１０２に向けてより良好なビームを送信するようにパラメータを変更することができる。ＭＩＭＯスキームを選択し、ビームフォーミングを用いてエネルギーを集中させ、変化するチャネル条件に適応するこの能力は、より高いデータレートを可能にすることができる。
【００２７】
図２は、１つ以上の実施形態による、ネットワークノードとユーザー機器との間のメッセージシーケンスチャートの例示的で非限定的なシステムブロック概略図２００を示す。本明細書中に説明する他の実施形態において用いられる同様の要素の繰り返しの説明は、簡潔にするために省略している。図２は、５Ｇシステムにおけるダウンリンクデータ転送のためのメッセージシーケンスチャートを示す。ネットワークノード１０４は、パイロット又は基準信号をユーザー機器（ＵＥ）１０２に送信することができる。基準信号は、ＵＥ１０２のプロファイル又はある種のモバイル識別子に関してセル固有及び／又はユーザー機器固有であり得る。基準信号から、ＵＥ１０２は、チャネル推定値（例えば、チャネル状態情報（ＣＳＩ））を計算することができ、ブロック２０２においてＣＳＩレポートに用いられるパラメータを計算することができる。ＣＳＩレポートは、チャネル品質インジケータ（ＣＱＩ）、プリコーディング行列インデックス（ＰＭＩ）、ランク情報（ＲＩ）、ＣＳＩ−ＲＳリソースインジケータ（例えば、ビームインジケータと同じＣＲＩ）等を含むことができる。
【００２８】
ＵＥ１０２は、次いで、ネットワークノード１０４からの要求に応じて、非周期的に且つ／又は定期的にフィードバックチャネルを介してＣＳＩレポートをネットワークノード１０４に送信することができる。ネットワークスケジューラは、ＣＳＩレポートを活用して、２０４において、ＵＥ１０２に特有であるダウンリンク送信スケジュール設定パラメータを特定することができる。スケジュール設定パラメータ２０４は、変調及び符号化スキーム（ＭＣＳ）、電力、物理リソースブロック（ＰＲＢ）等を含むことができる。ネットワークノード１０４は、スケジュール設定パラメータをダウンリンク制御チャネル又は物理ダウンリンク制御チャネル（ＰＤＣＣＨ）においてＵＥ１０２に送信することができる。図２は、物理層シグナリングに対して又は無線リソース制御（ＲＲＣ）シグナリングの一部として密度変化を報告することができる物理層シグナリングを示す。物理層において、密度は、ネットワークノード１０４によって調整され、次いでダウンリンク制御チャネルデータの一部としてＵＥ１０２に送信することができる。ネットワークノード１０４は、調整した密度を含むスケジュール設定パラメータを、ダウンリンク制御チャネルを介してＵＥ１０２に送信することができる。その後及び／又は同時に、データは、データトラフィックチャネルを介して、ネットワークノード１０４からＵＥ１０２に転送することができる。
【００２９】
ＭＩＭＯは、スペクトル効率を改善し、それによってシステム全体の容量を増大させる先進アンテナ技術である。ＭＩＭＯ技術は、送信システムの一方の終端上の送信アンテナの数（Ｍ）及び受信アンテナの数（Ｎ）の観点でＭＩＭＯ構成を表すために、一般に知られている表記（Ｍ×Ｎ）を用いる。様々な技術で用いられる一般的なＭＩＭＯ構成は、（２×１）、（１×２）、（２×２）、（４×２）、（８×２）及び（２×４）、（４×４）、（８×４）である。加えて、３ＧＰＰは、基地局におけるアンテナ数を最大１６／３２／６４に拡張することを検討している。（２×１）及び（１×２）によって表される構成は、送信及び受信ダイバーシティとして知られるＭＩＭＯの特別な事例である。
【００３０】
ダウンリンク基準信号は、ダウンリンク時間周波数グリッド内の特定のリソース要素を占める事前定義された信号である。異なる方法で送信され、受信端末によって異なる目的で用いることができる幾つかのタイプのダウンリンク基準信号があり、例えばチャネル状態情報基準信号（ＣＳＩ−ＲＳ）及び復調基準信号（ＤＭ−ＲＳ又はＤＭＲＳ）を含む。ＣＳＩ−ＲＳは、端末によってチャネル状態情報（ＣＳＩ）及びビーム固有情報（例えば、ビーム基準信号の受信電力）を取得するために用いることができる。５Ｇにおいて、ＣＳＩ−ＲＳは、大幅に低い時間／周波数密度を有することができるようにＵＥ固有であり得る。ときにＵＥ固有基準信号とも称されるＤＭ−ＲＳは、データチャネルのチャネル推定のために端末によって用いることができる。ラベル「ＵＥ固有」とは、各復調基準信号が単一の端末によるチャネル推定を目的とすることに関する。復調基準信号は、次いで、その端末へのデータトラフィックチャネル送信に割り当てられるリソースブロック内で送信することができる。上記の基準信号の他に、様々な目的に用いることができる他の基準信号、すなわち位相追跡及びサウンディング基準信号等がある。
【００３１】
アップリンク制御チャネルは、ダウンリンクデータ送信に対応するハイブリッド自動再送要求（ＨＡＲＱ−ＡＣＫ）情報に関する情報及びチャネル状態情報を搬送する。チャネル状態情報は、ＣＲＩ、ＲＩ、ＣＱＩ、ＰＭＩ、レイヤインジケータ等を含むことができる。ＣＳＩは、２つのカテゴリ、すなわちサブバンドのための第１のカテゴリ及びワイドバンドのための第２のカテゴリに分割することができる。サブバンド又はワイドバンドＣＳＩレポートの構成は、ＣＳＩレポート構成の一部としてＲＲＣシグナリングにより実行される。表１は、ＰＭＩフォーマットインジケータ＝ワイドバンド、ＣＱＩフォーマットインジケータ＝ワイドバンド及びＰＭＩフォーマットインジケータ＝サブバンド、ＣＱＩフォーマットインジケータ＝サブバンドに対するＣＳＩレポートの内容を示す。
【００３２】
【表１】
2022502930.tif 000003
【００３３】
ＮＲに対して、サブバンドは、以下の表２に示すように、ＰＲＢの観点から、直交周波数分割多重方式（ＯＦＤＭ）の帯域幅部分に従って定義されることに留意されたい。サブバンド構成もＲＲＣシグナリングにより実行される。
【００３４】
【表２】
2022502930.tif 000004
【００３５】
５Ｇ  ＮＲ規格によれば、ＵＥは、サブバンドＣＱＩを差分ＣＱＩとして報告する必要がある。これは、アップリンクオーバーヘッドを低減するために実行される。差分サブバンドＣＱＩは、以下のように定義される。各サブバンドインデックスｓについて、２ビットのサブバンド差分ＣＱＩは、以下のように定義される。
サブバンドオフセットレベル（ｓ）＝ワイドバンドＣＱＩインデックス−サブバンドＣＱＩインデックス（ｓ）
【００３６】
２ビットワイドバンド差分ＣＱＩ値からオフセットレベルへのマッピングを以下の表３に示す。
【００３７】
【表３】
2022502930.tif 000005
【００３８】
リリース１５ＮＲにおいて、以下の表は、ＣＳＩ−ＲＳ構成及びＣＳＩレポートを要約している。ＣＳＩレポートに対して、ＣＳＩ−ＲＳ送信及びシグナリングがネットワークからＵＥに必要であることがわかる。
【００３９】
【表４】
2022502930.tif 000006
【００４０】
物理ダウンリンク制御チャネル（ＰＤＣＣＨ）は、スケジュール設定許可に関する情報を搬送することができる。情報は、スケジュールされたＭＩＭＯレイヤの数、トランスポートブロックサイズ、各コードワードに対する変調、ＨＡＲＱに関するパラメータ、サブバンドの場所等を含むことができる。全てのＤＣＩフォーマットは、上で示したように、全ての情報を送信しない可能性があることに留意されたい。一般に、ＰＤＣＣＨの内容は、送信モード及びＤＣＩフォーマットによって異なる。場合により、以下の情報を、ダウンリンク制御情報（ＤＣＩ）フォーマットを用いて送信する：キャリアインジケータ、ＤＣＩフォーマットの識別子、帯域幅部分インジケータ、周波数領域リソース割り当て、時間領域リソース割り当て、ＶＲＢからＰＲＢへのマッピングフラグ、ＰＲＢバンドルサイズインジケータ、レートマッチングインジケータ、ＺＰ  ＣＳＩ−ＲＳトリガー、各ＴＢの変調及びコーディング方式、各ＴＢの新しいデータインジケータ、各ＴＢの冗長バージョン、ＨＡＲＱプロセス番号、ダウンリンク割り当てインデックス、アップリンク制御チャネルのＴＰＣコマンド、ＰＵＣＣＨリソースインジケータ、物理ダウンリンク共有チャネル（ＰＤＳＣＨ）からＨＡＲＱへのフィードバックタイミングインジケータ、アンテナポート、送信構成指示、ＳＲＳ要求、ＣＢＧ送信情報、ＣＢＧフラッシュアウト情報及び／又はＤＭＲＳシーケンス初期化。
【００４１】
図３は、１つ以上の実施形態による、ＰＤＳＣＨ送信機のためのコーディングチェーンを含むＭＩＭＯ通信システム３００の一部の例示的な非限定的な表現を示す。より詳細には、Ｎｔ送信アンテナを有するＭＩＭＯ通信システムの送信側が示されている。トランスポートブロック（ＴＢ）は、最大で２つあり、第１のトランスポートブロック３０２（ＴＢ１）及び第２のトランスポートブロック３０４（ＴＢ２）として示す。層の数が４以下の場合、トランスポートブロックの数は、１となる。層の数が４を超える場合、２つのトランスポートブロックが送信される。
【００４２】
ＣＲＣビットは、各トランスポートブロック（例えば、第１のトランスポートブロック３０２及び第２のトランスポートブロック３０４）に追加され、チャネルエンコーダー（例えば、エンコーダー及びスクランブリング３０６１及び３０６２）に渡される。低密度パリティチェックコード（ＬＤＰＣ）は、ＮＲのためのＦＥＣである。チャネルエンコーダー（例えば、エンコーダー及びスクランブリング３０６１及び３０６２）は、データを保護するようパリティビットを追加する。符号化後、データストリームは、ユーザー固有スクランブリングによりスクランブルされる。次いで、ストリームは、インターリーバー（例えば、インターリーバー及び変調器３０８１及び３０８２）を通過する。インターリーバーサイズは、パンクチャリングすることによって適応的に制御して、データレートを向上させている。適応は、フィードバックチャネルからの情報、例えば受信機によって送信されるチャネル状態情報を用いることによって達成される。インターリーブデータは、シンボルマッパー（変調器）に通される。シンボルマッパーは、適応コントローラー３１０によっても制御される。変調後、ストリームは、レイヤマッパー３１２及びプリコーダ３１４に通される。結果として得られるシンボルは、（例えば、再マッパー３１６１及び３１６２を介して）ＯＦＤＭの時間周波数グリッド内のリソース要素にマッピングされる。結果として得られるストリームは、次いで、ＩＦＦＴブロック（例えば、ＩＦＦＴ３１８１及び３１８２）に通される。ＩＦＦＴブロック（例えば、ＩＦＦＴ３１８１及び３１８２）は、アクセス技術（例えば、５Ｇ、ＬＴＥ／ＬＴＥ−Ａ等）としてＯＦＤＭＡを実装する一部の通信システムに必要であり、他のシステムでは異なる可能性があり、マルチアクセスシステムに依存することに留意されたい。符号化されたストリームは、次いで、それぞれのアンテナ（例えば、第１のアンテナ３２０（Ａｎｔ  １）〜Ｎ番目のアンテナ３２２（Ａｎｔ  Ｎｔ）を介して送信される。
【００４３】
上述のように、ＣＳＩレポートに対して、チャネルを推定するための基準信号がＵＥとｇＮＢとの間に必要であり、ＣＳＩを報告するために用いられるリソースを通知するレポート設定が必要である。既存の構成は、大量のオーバーヘッド及びリソースの浪費を含むことがわかる。これは、従って、データトラフィックチャネルに割り当てられるリソースを削減し、現在のソリューションは、ｅＭＢＢデータアプリケーションにとって魅力的ではない。加えて、ＣＳＩ計算のための一部のフレームワークは、ＵＥがＣＳＩ−ＲＳをチェックし（定期的（例えば、５ミリ秒毎）であり得る）、ＣＳＩを計算し、定期的（例えば、１０ミリ秒毎）であるＣＳＩを報告する必要があるため、遅延を含む。そのため、ＵＥによって報告されるＣＳＩを用いることにおいて大きい遅延が伴う。この大きい遅延は、ＵＲＬＬＣ及び基幹アプリケーション等の遅延に敏感なアプリケーションに影響を及ぼす。ＤＭＲＳベースのチャネル推定のための一部の方法は、ＤＭＲＳベースのＣＳＩ推定と同様に制限を有し、ＵＥは、ＨＷの有効チャネルを確認するようにＣＱＩのみを計算することができる。しかし、この技法では、ＵＥは、チャネルの瞬間的な変化を捉えることができない。従って、ＵＥは、ＰＭＩ及びＲＩを更新することができない。瞬間的な変動を捉えることのこの欠陥は、５Ｇ  ＮＲの性能を制限する。この及び他の問題に対処するために、開示する態様は、次世代の無線通信システムのためのＣＳＩを報告する効果的な解決策を提供する。
【００４４】
本明細書中で提供される種々の態様は、スケジュールされたＰＤＳＣＨ及びＤＭ−ＲＳを用いるＣＳＩの特定に関し、それによりＣＳＩ計算のためのオーバーヘッドを低減する。種々の態様は、ネットワークノード及びＵＥの両方において実装することができる複数の実施形態を含む。例えば、提供されるのは、ＤＭＲＳ及びＰＤＳＣＨベースのチャネル推定を用いてＣＳＩを計算するＵＥにおける方法である。別の例において、提供されるのは、ＣＳＩを報告するＵＥにおける方法である。別の例において、提供されるのは、ＤＭＲＳベースのＣＳＩ要求を示すネットワークにおける方法である。更に別の例において、提供されるのは、プリコーディング行列を適用するネットワークノードにおける方法である。
【００４５】
種々の利点を、開示する態様により提供することができる。例えば、ネットワークがＣＱＩに関する情報を効率的に取得する際のセクタースループット及びセルエッジユーザースループットにおける大幅な利得は、開示する態様により達成することができる。更に、シグナリングオーバーヘッドの削減も、開示する態様により達成することができる。
【００４６】
種々の態様は、ＭＩＭＯシステムのためのダウンリンクデータ送信に関して本明細書中で検討されていることに留意されたい。しかし、この原則は、アップリンクデータ送信及び／又はサイドリンクシステムに適用可能である。
【００４７】
簡略化のために、無線ネットワークノード又は単にネットワークノードがｇＮＢのために用いられる。無線ネットワークノードという用語は、ＵＥにサービングし、且つ／又は他のネットワークノード若しくはネットワーク要素に接続される任意の種類のネットワークノード又はＵＥが信号を受信する送信元である任意の無線ノードを指す。無線ネットワークノードの例は、Ｎｏｄｅ  Ｂ、基地局（ＢＳ）、マルチスタンダード無線（ＭＳＲ）ノード、例えばＭＳＲ  ＢＳ、ｇＮＢ、ｅＮｏｄｅ  Ｂ、ネットワークコントローラー、無線ネットワークコントローラー（ＲＮＣ）、基地局コントローラー（ＢＳＣ）、中継器、ドナーノード制御中継器、ベース送受信機局（ＢＴＳ）、アクセスポイント（ＡＰ）、送信ポイント、送信ノード、リモート無線ユニット（ＲＲＵ）、リモート無線ヘッド（ＲＲＨ）、分散アンテナシステム（ＤＡＳ）におけるノード等を含むが、これらに限定されない。
【００４８】
同様に、受信には、ユーザー機器（ＵＥ）という用語が用いられる。ＵＥは、セルラー通信システム又はモバイル通信システムにおいて無線ネットワークノードと通信する任意のタイプの無線デバイスを指す。ＵＥの例は、ターゲットデバイス、デバイスツーデバイス（Ｄ２Ｄ）ＵＥ、マシンタイプＵＥ又はマシンツーマシン（Ｍ２Ｍ）通信能力を有するＵＥ、ＰＤＡ、タブレット、モバイル端末、スマートフォン、ラップトップ組込装置（ＬＥＥ）、ラップトップ搭載機器（ＬＭＥ）、ＵＳＢドングル等を含むが、これらに限定されない。更に、１つの要素、複数の要素及びアンテナポートという用語は、この詳細な説明において区別なく用いられるが、同じ意味を有する。
【００４９】
本明細書中で検討する態様に対する動機は、一般に、帯域幅全体にわたって計算されるＲＩが変化しないことである。同様の方法で、全帯域幅にわたって計算されるＰＭＩは、図４及び図５に示すように変化しない。より詳細には、図４は、本明細書中に説明する１つ以上の実施形態によるランク情報分布のチャート４００を示す。スロット番号４０２を横軸に表し、ランク情報４０４を縦軸に示す。示されているランク情報分布は、０．５ミリ秒（ｍｓ）を超える。更に、チャート４００は、２０デシベル（ｄＢ）の信号対雑音比（ＳＮＲ）におけるランク情報分布のスナップショットを示す。
【００５０】
図５は、本明細書中に説明する１つ以上の実施形態によるプリコーディング行列インデックス分布のチャート５００を示す。スロット番号５０２を横軸に表し、プリコーディング行列インデックス５０４を縦軸に示す。示されているプリコーディング行列インデックス分布は、０．５ミリ秒（ｍｓ）を超える。更に、チャート５００は、２０ｄＢのＳＮＲにおけるプリコーディング行列インデックスのスナップショットを示す。
【００５１】
従って、ＵＥが、スケジュールされたランク及びスケジュールされたＰＭＩのためのＤＭＲＳベースのチャネル推定を用いてＣＳＩを計算することができる場合、計算されたＣＱＩは、ＣＳＩ−ＲＳベースのチャネル推定のＣＱＩと同様であり得る。従って、ＵＥは、ＣＱＩを計算するために、ＤＭ−ＲＳ又はＰＤＳＣＨベースのチャネル推定からのチャネル推定を用いることができる。更に、ＵＥは、ＰＤＳＣＨ復号時間中にＣＳＩを推定することができる。従って、ＵＥは、ＰＤＳＣＨを復号するだけでなく、ＵＥが有効チャネル上で信号対干渉プラス雑音比（ＳＩＮＲ）を見つけるのと同じスロットにおいてＣＱＩを計算することができる。種々の実装形態によれば、ＵＥは、ＣＱＩに加えてＰＭＩ及びＲＩを計算することができる。
【００５２】
数学的に、受信信号Ｙは、Ｎｔ送信アンテナ及びＮｒ受信アンテナを有するＭＩＭＯシステムに対して、Ｙのように記述され、ｉ番目のサブキャリアのための受信信号は、以下のように記述することができる。
Ｙ＝ＨＷｘ＋ｎ
ここで、Ｈは、送信機アンテナ要素次元（Ｎｒ×Ｎｔ）間のチャネル行列であり、Ｗは、次元（Ｎｔ×Ｒ）のデジタルプリコーディング行列であり、ｘは、送信信号ベクトルのサイズ（Ｒ×１）であり、Ｒは、（ＰＤＳＣＨの）システムの送信ランクである。
【００５３】
ＵＥが有効チャネルＨＷを推定するとき又はその後、ＵＥは、有効チャネルを新しいチャネルＮｅｗとして扱うことができる。プリコーディング行列、更新ランク及びＣＱＩを計算するアルゴリズムを以下で説明する。
【００５４】
図６は、１つ以上の実施形態による復調基準信号を用いるネットワークノードとユーザー機器との間のメッセージシーケンスチャートの例示的で非限定的なシステムブロック概略図６００を示す。本明細書中に説明する他の実施形態において用いられる同様の要素の繰り返しの説明は、簡潔にするために省略している。
【００５５】
第１の実施形態として、ＵＥは、ＰＤＳＣＨ復調並びにスケジュール設定された層数及びプリコーディングのためのＣＳＩ計算の両方について、ＤＭＲＳ（６０２における）を用いてチャネルを推定することができる。ＵＥがチャネルを推定するとき又はその後、ＵＥは、以下の式を用いて（ＭＭＳＥベースの検出器のための）ＳＩＮＲを計算することができる。
【数１】
2022502930.tif 000007
【００５６】
種々の実装形態によれば、ＣＳＩは、相互情報を用いることに基づいて又は容量アプローチを用いることに基づいて取得することができる。相互情報を用いるための方法を検討する。
【００５７】
上述のように、ＮＲにおいて、ＵＥは、スループットを最大化すると同時に、同時（整数）最適化問題によって数学的に説明することができるブロックエラー率（ＢＬＥＲ）制約を維持するために、適切なＣＳＩ（例えば、ＣＱＩ、ＰＭＩ及びＲＩ）を推定する必要がある。
【数２】
2022502930.tif 000008
【００５８】
残念ながら、この同時（離散／整数）最適化問題には、何らの閉形式解もない。従って、適切なＰＭＩ／ＲＩ（ＣＱＩとは無関係）を推定するよう決定される可能性がある。その後、適切なＣＱＩは、選択したＰＭＩ（及びＲＩ）に応じて推定される。ここで、［Ａ］ｉ，ｉは、行列Ａのｉ番目の対角要素に対応する。
【００５９】
適切なＰＭＩ／ＲＩを推定するために、いわゆるリンク品質メトリック（ＬＱＭ）、例えばｍＭＩ（サブバンド／ワイドバンド当たり）として表される平均相互情報は、以下に示すように計算される。
【数３】
2022502930.tif 000009
ここで、Ｉ（ＳＩＮＲｉ［ｋ］）は、ｉ番目の空間層及びｋ番目のリソース要素に対して、以下の表４に示すように、後処理ＳＩＮＲｉ［ｋ］（及び変調アルファベットＡ）の関数である相互情報である。前述のＬＱＭの計算に用いられるリソース要素の数は、パラメータＫによって与えられる（ワイドバンド／サブバンドＰＭＩ推定に依存する）。
【００６０】
【表５】
2022502930.tif 000010
【００６１】
ｍＭＩ（サブバンド／ワイドバンド当たり）の推定を行ったとき又はその後、ＰＭＩ及びＲＩは、以下のように与えることができる制約なし最適化を用いて共同して推定することができる。
【数４】
2022502930.tif 000011
【００６２】
図７は、１つ以上の実施形態による、ＬＴＥ／ＬＴＥ−Ａシステムにおける４×４ＭＩＭＯのための網羅的なＰＭＩ及びＲＩ検索の例示的なシステムブロック概略図を示す。図７は、相互情報アプローチに基づいてＰＭＩ及びＲＩがどのように計算されるかを示す。選択したＰＭＩ／ＲＩにより、ＣＱＩを後に計算できることに留意されたい。例えば、ランク仮説（例えば、ランク１仮説７０２、ランク２仮説７０４、ランク３仮説７０６及びランクＲ仮説７０８、ここでＲは整数）は、幾つかの対応するＰＭＩ仮説７１０１、７１０２．．．７１０ｎに送信することができる。その後、対応するＰＭＩ仮説７１０１、７１０２．．．７１０ｎからのデータは、ブロック７１２によって送受信することができる。ブロック７１２は、ブロック７００からチャネル推定、雑音共分散推定及び他のチャネルパラメータも受け取ることができ、それにより、ブロック７１２は、ジョイントＰＭＩ及びＲＩ推定を生成することができる。その後、ＰＭＩ推定（例えば、ワイドバンドＰＭＩ推定７１４）及びＲＩ推定７１６は、ブロック７１２によって出力することができる。
【００６３】
ＣＳＩを取得するための容量アプローチを用いるための方法をここで検討する。容量アプローチのための方法は、相互情報を用いるための方法と類似している。しかし、容量アプローチに対して、相互情報を求める代わりに、容量は、以下に示すように計算される。
【数５】
2022502930.tif 000012
【００６４】
図８は、本明細書中に説明する１つ以上の実施形態による、チャネル品質情報を特定するための例示的で非限定的な方法８００を示す。方法８００は、相互情報アプローチ及び容量ベースアプローチの両方に対するリンク品質メトリックを特定するために利用することができる。
【００６５】
方法８００は、無線ネットワークのＵＥによって実施することができ、ＵＥは、プロセッサを含む。代替として又は追加として、機械可読記憶媒体は、プロセッサによって実行されると、方法８００のための動作の実行を容易にする実行可能命令を含むことができる。
【００６６】
方法８００は、８０２において、基準信号及び関連データを介してチャネルを推定することから開始する。例えば、基準信号及び関連データは、基地局（例えば、ｇＮＢ）から受信することができるセル固有／ＵＥ固有の基準信号であり得る。方法８００の８０４において、後処理ＳＩＮＲを特定することができる。例えば、後処理ＳＩＮＲは、プリコーディングコードブック内の各エンティティに対して特定することができる。
【００６７】
更に、方法８００の８０６において、プリコーディングコードブック内の各エンティティの１つ以上のリンク品質メトリックを特定することができる。リンク品質メトリックは、本明細書中で検討するように、容量又は相互情報のいずれか一方であり得る。リンク品質メトリックを最大化するプリコーディング制御インデックス及び対応するランク情報は、方法８００の８０８において特定することができる。
【００６８】
ＰＭＩは、８０８において選択されたランク情報に基づいて、方法８００の８１０において特定することができる。更に、８１２において、ＣＱＩは、それぞれ８０８及び８１０において特定されたランク情報及びＰＭＩに基づいて特定することができる。
【００６９】
幾つかの実装形態によれば、無線ネットワークのネットワークデバイスは、ＣＳＩ推定に基づいてＤＭＲＳによりデータを送信することができる。ネットワークデバイスは、プロセッサを含むことができる。代替として又は追加として、機械可読記憶媒体は、プロセッサによって実行されると、ＣＳＩ推定に基づくＤＭＲＳによるデータの送信を容易にする実行可能命令を含むことができる。
【００７０】
ＵＥがＣＳＩをネットワーク（例えば、ネットワークデバイス）に送信するとき又はその後、ネットワークは、以前に使用されたプリコーディング行列Ｗ及び更新されたプリコーディング行列（例えば、Ｗｕｐｄａｔｅｄ）の乗算としてプリコーディング行列を選択することができる。すなわち、システム方程式は、ここで、以下のようになる。
Ｙ＝ＨＷＷｕｐｄａｔｅｄｘ＋ｎ
【００７１】
この手順は、ネットワークがＤＭＲＳベースのＣＳＩレポートからＣＳＩを用いることを望む場合には常に繰り返すことができる。Ｗは、ＰＤＳＣＨのために用いられるプリコーディングであることに留意されたい。同様に、更新されたランクは、常にＲ以上である（例えば、ＰＤＳＣＨ送信のランク）。
【００７２】
本明細書中で検討するように、一態様によれば、提供されるのは、５Ｇ無線通信システムにおける高速ＣＳＩ計算及び報告である。更に、別の態様によれば、提供されるのは、ＤＭＲＳベースのチャネル状態情報推定によりプリコーディングを適用するネットワークノードにおける方法である。開示する態様により、利点は、ネットワークがＣＱＩ／ＰＭＩ／ＲＩに関する情報を効率的に取得するため、セクタースループット及びセルエッジユーザースループットの大幅な向上を含むことができる。別の利点は、シグナリングオーバーヘッドの削減を含むことができる。
【００７３】
説明を簡単にするために、幾つかの方法は、一連のブロックとして図示及び説明されるが、幾つかのブロックは、本明細書中に図示及び説明するものと異なる順序において、且つ／又は他のブロックと実質的に同時に行われる場合があるため、開示する態様は、ブロックの数又は順序によって限定されないことを理解されたい。その上、開示する方法を実施するために、必ずしも例示される全てのブロックが必要とされるとは限らない場合がある。ブロックに関連する機能は、ソフトウェア、ハードウェア、それらの組み合わせ又は任意の他の適切な手段（例えば、デバイス、システム、プロセス、構成要素等）によって実装できることを認識するべきである。加えて、開示する方法は、かかる方法を種々のデバイスに輸送及び転送することを容易にするために製造品に格納できることを更に認識されたい。当業者は、方法が、状態図等の一連の相互に関連する状態又は事象として代替的に表され得ることを理解及び認識するであろう。
【００７４】
本明細書中に説明するのは、先進ネットワークにおいて復調基準信号を使用するチャネル状態情報の特定を容易にすることができるシステム、方法、製品及び他の実施形態又は実装形態である。先進ネットワークにおいて復調基準信号を使用するチャネル状態情報の特定を容易にすることは、通信ネットワークへの接続を有する任意のタイプのデバイス（例えば、モバイルハンドセット、コンピューター、ハンドヘルドデバイス等）、任意のモノのインターネット（ＩｏＴ）デバイス（例えば、トースター、コーヒーメーカー、ブラインド、音楽プレーヤー、スピーカー等）及び／又は任意のコネクテッドビークル（車、飛行機、宇宙ロケット及び／又は他の少なくとも部分的に自動化されたビークル（例えば、ドローン））に関連して実施することができる。幾つかの実施形態において、ユーザー機器（ＵＥ）という非限定的な用語が使用される。この用語は、セルラー通信システム又はモバイル通信システムにおいて無線ネットワークノードと通信する任意のタイプの無線デバイスを指すことができる。ＵＥの例は、ターゲットデバイス、デバイスツーデバイス（Ｄ２Ｄ）ＵＥ、マシンタイプＵＥすなわちマシンツーマシン（Ｍ２Ｍ）通信が可能なＵＥ、ＰＤＡ、タブレット、モバイル端末、スマートフォン、ラップトップ組み込み型機器（ＬＥＥ）、ラップトップ搭載型機器（ＬＭＥ）、ＵＳＢドングル等である。１つの要素、複数の要素及びアンテナポートという用語は、本開示では区別なく用いられる可能性があるが、同じ意味を有することに留意されたい。実施形態は、ＵＥのシングルキャリア及びマルチキャリア（ＭＣ）又はキャリアアグリゲーション（ＣＡ）動作に適用可能である。キャリアアグリゲーション（ＣＡ）という用語は、「マルチキャリアシステム」、「マルチセル動作」、「マルチキャリア動作」、「マルチキャリア」送信及び／又は受信とも呼ばれる（例えば、同義で呼ばれる）。
【００７５】
幾つかの実施形態において、無線ネットワークノード又は単にネットワークノードという非限定的な用語が使用される。この用語は、１つ以上のＵＥにサービングし、且つ／又は他のネットワークノード若しくはネットワーク要素に結合される任意のタイプのネットワークノード又は１つ以上のＵＥが信号を受信する送信元である任意の無線ノードを指すことができる。無線ネットワークノードの例は、Ｎｏｄｅ  Ｂ、基地局（ＢＳ）、マルチスタンダード無線（ＭＳＲ）ノード、例えばＭＳＲ  ＢＳ、ｅＮｏｄｅ  Ｂ、ネットワークコントローラー、無線ネットワークコントローラー（ＲＮＣ）、基地局コントローラー（ＢＳＣ）、中継器、ドナーノード制御中継器、ベース送受信機局（ＢＴＳ）、アクセスポイント（ＡＰ）、送信ポイント、送信ノード、リモート無線ユニット（ＲＲＵ）、リモート無線ヘッド（ＲＲＨ）、分散アンテナシステム（ＤＡＳ）におけるノード等である。
【００７６】
クラウド無線アクセスネットワーク（ＲＡＮ）は、５Ｇネットワークにおけるソフトウェア定義ネットワーク（ＳＤＮ）及びネットワーク機能仮想化（ＮＦＶ）等の概念の実施を可能にすることができる。本開示は、５Ｇネットワークのための包括的なチャネル状態情報フレームワーク設計を容易にすることができる。本開示の幾つかの特定の実施形態は、ネットワーク内のトラフィックのルーティング及びネットワークとトラフィック宛先との間のトラフィックのルーティングを制御することができるＳＤＮコントローラーを含むことができる。ＳＤＮコントローラーは、５Ｇネットワークアーキテクチャと統合して、オープンアプリケーションプログラミングインターフェース（ＡＰＩ）を介してサービス配信を可能にするとともに、ネットワークコアを全インターネットプロトコル（ＩＰ）、クラウドベース及びソフトウェア駆動電気通信ネットワークに移すことができる。ＳＤＮコントローラーは、ポリシー及び課金ルール機能（ＰＣＲＦ）ネットワーク要素とともに機能するか、又はこの要素の代理を務めることができ、それによりサービス品質並びにトラフィック管理及びルーティング等のポリシーを同期して、エンドツーエンドで管理することができる。
【００７７】
ここで、図９を参照すると、本明細書において説明される１つ以上の実施形態による、無線通信を容易にするシステムアーキテクチャにおいて関与するように動作可能な一例示のモバイルハンドセット９００の例示的なブロック図が示されている。モバイルハンドセットが本明細書で示されているが、他のデバイスは、モバイルデバイスであり得ること、及びモバイルハンドセットは、本明細書において説明される種々の実施形態のうちの実施形態についての状況を提供するために示されているにすぎないことが理解されるであろう。以下の論述は、種々の実施形態を実施することができる、適した環境の例についての簡潔な一般的説明を提供することを意図している。説明は、機械可読記憶媒体上で具現化されるコンピューター実行可能命令の一般的な状況を含むが、革新は、他のプログラムモジュールと組み合わせて及び／又はハードウェア及びソフトウェアの組み合わせとしても実施され得ることを当業者であれば認識するであろう。
【００７８】
一般に、アプリケーション（例えば、プログラムモジュール）は、特定のタスクを実行するか又は特定の抽象データタイプを実装するルーチン、プログラム、構成要素、データ構造等を含むことができる。更に、本明細書で述べる方法は、それぞれを１つ以上の関連するデバイスに動作可能に結合することができる、単一プロセッサ又はマルチプロセッサシステム、ミニコンピューター、メインフレームコンピューター並びにパーソナルコンピューター、ハンドヘルドコンピューティングデバイス、マイクロプロセッサベース又はプログラマブル消費者向け電子機器等を含む他のシステム構成とともに実施できることを当業者であれば理解するであろう。
【００７９】
コンピューティングデバイスは、通常、種々の機械可読媒体を含むことができる。機械可読媒体は、コンピューターによってアクセスすることができる任意の入手可能な媒体であり得、揮発性及び不揮発性媒体、取外し可能及び取外し不能媒体の両方を含む。例として、限定はしないが、コンピューター可読媒体は、コンピューター記憶媒体及び通信媒体を含むことができる。コンピューター記憶媒体は、コンピューター可読命令、データ構造、プログラムモジュール又は他のデータ等の情報を記憶するための任意の方法又は技術で実装される揮発性及び／又は不揮発性媒体、取外し可能及び／又は取外し不能媒体を含むことができる。コンピューター記憶媒体は、ＲＡＭ、ＲＯＭ、ＥＥＰＲＯＭ、フラッシュメモリ若しくは他のメモリ技術、ＣＤ  ＲＯＭ、デジタルビデオディスク（ＤＶＤ）若しくは他の光ディスク記憶装置、磁気カセット、磁気テープ、磁気ディスク記憶装置若しくは他の磁気記憶デバイス又は所望の情報を記憶するために用いることができ、且つコンピューターによってアクセスすることができる任意の他の媒体を含むことができるが、それに限定されない。
【００８０】
通信媒体は、通常、搬送波又は他の搬送機構等の被変調データ信号内においてコンピューター可読命令、データ構造、プログラムモジュール又は他のデータを具現化し、任意の情報送達媒体を含む。「被変調データ信号」という用語は、信号内に情報を符号化するように設定又は変更されたその特性の１つ以上を有する信号を意味する。例として、限定はしないが、通信媒体は、有線ネットワーク又は直結される接続等の有線媒体並びに音響、ＲＦ、赤外線及び他の無線媒体等の無線媒体を含む。上記の任意のものの組み合わせもコンピューター可読媒体の範囲に含まれるべきである。
【００８１】
ハンドセットは、全てのオンボード動作及び機能を制御及び処理するためのプロセッサ９０２を含む。メモリ９０４は、データ及び１つ以上のアプリケーション９０６（例えば、ビデオプレイヤーソフトウェア、ユーザーフィードバック構成要素ソフトウェア等）を記憶するためにプロセッサ９０２にインターフェースする。他のアプリケーションは、ユーザーフィードバック信号の始動を容易にする所定の音声コマンドの音声認識を含むことができる。アプリケーション９０６は、メモリ９０４及び／又はファームウェア９０８に記憶し、メモリ９０４若しくは／及びファームウェア９０８のいずれか又は両方からプロセッサ９０２によって実行することができる。ファームウェア９０８は、ハンドセット９００を初期化するときに実行するためのスタートアップコードも記憶することができる。通信構成要素９１０は、外部システム、例えばセルラーネットワーク、ＶｏＩＰネットワーク等との有線／無線通信を容易にするためにプロセッサ９０２にインターフェースする。ここで、通信構成要素９１０は、対応する信号通信のために、適したセルラートランシーバー９１１（例えば、ＧＳＭトランシーバー）及び／又は免許不要トランシーバー９１３（例えば、Ｗｉ−Ｆｉ、ＷｉＭａｘ）も含むことができる。ハンドセット９００は、携帯電話、モバイル通信能力を有するＰＤＡ及びメッセージングセントリックデバイス等のデバイスであり得る。また、通信構成要素９１０は、地上無線ネットワーク（例えば、ブロードキャスト）、デジタル衛星無線ネットワーク及びインターネットベース無線サービスネットワークからの通信受信を容易にする。
【００８２】
ハンドセット９００は、テキスト、画像、ビデオ、電話機能（例えば、呼出し側ＩＤ機能）、セットアップ機能を表示するための、またユーザー入力のためのディスプレイ９１２を含む。例えば、ディスプレイ９１２は、マルチメディアコンテンツ（例えば、音楽メタデータ、メッセージ、壁紙、グラフィックス等）の提示を収容することができる「スクリーン」とも呼ぶことができる。ディスプレイ９１２は、ビデオも表示することができ、ビデオクオートの生成、編集及び共有を容易にすることができる。シリアルＩ／Ｏインターフェース９１４は、プロセッサ９０２と通信状態で提供されて、ハードワイヤ接続及び他のシリアル入力デバイス（例えば、キーボード、キーパッド及びマウス）を通した有線及び／又は無線シリアル通信（例えば、ＵＳＢ及び／又はＩＥＥＥ  １３９４）を容易にする。これは、例えば、ハンドセット９００を更新すること及びトラブルシューティングすることをサポートすることができる。オーディオ能力は、オーディオＩ／Ｏ構成要素９１６によって提供され、オーディオＩ／Ｏ構成要素９１６は、例えば、ユーザーフィードバック信号を始動するために適切なキー又はキー組み合わせをユーザーが押したという指示に関連するオーディオ信号を出力するためのスピーカーを含むことができる。また、オーディオＩ／Ｏ構成要素９１６は、データ及び／又は電話音声データを記録するために、また電話会話のための音声信号を入力するために、マイクロフォンを通したオーディオ信号の入力を容易にする。
【００８３】
ハンドセット９００は、カード型加入者識別モジュール（ＳＩＭ）又はユニバーサルＳＩＭ９２０のフォームファクターのＳＩＣ（加入者識別構成要素）を収容するための、またＳＩＭカード９２０をプロセッサ９０２にインターフェースするためのスロットインターフェース９１８を含むことができる。しかしながら、ＳＩＭカード９２０をハンドセット９００に入るように製造し、データ及びソフトウェアをダウンロードすることによって更新できることが理解される。
【００８４】
ハンドセット９００は、通信構成要素９１０を通してＩＰデータトラフィックを処理して、ＩＳＰ又はブロードバンドケーブルプロバイダーを通して例えばインターネット、企業イントラネット、ホームネットワーク、パーソナルエリアネットワーク等のようなＩＰネットワークからＩＰトラフィックを収容することができる。そのため、ＶｏＩＰトラフィックは、ハンドセット９００によって利用することができ、ＩＰベースマルチメディアコンテンツは、符号化フォーマット又は復号フォーマットで受信することができる。
【００８５】
ビデオ処理構成要素９２２（例えば、カメラ）は、符号化されたマルチメディアコンテンツを復号するために提供され得る。ビデオ処理構成要素９２２は、ビデオクオートの生成、編集及び共有を容易にすることを支援することができる。ハンドセット９００は、電池及び／又はＡＣ電力サブシステムの形態の電源９２４も含み、電源９２４は、電力Ｉ／Ｏ構成要素９２６によって外部電力システム又は充電機器（図示せず）にインターフェースすることができる。
【００８６】
ハンドセット９００は、受信されたビデオコンテンツを処理し、ビデオコンテンツを記録し、送信するためのビデオ構成要素９３０も含むことができる。例えば、ビデオ構成要素９３０は、ビデオクオートの生成、編集及び共有を容易にすることができる。ロケーショントラッキング構成要素９３２は、ハンドセット９００を地理的に位置特定することを容易にする。上記で説明したように、これは、ユーザーがフィードバック信号を自動的に又は手動で始動するときに起こり得る。ユーザー入力構成要素９３４は、ユーザーが品質フィードバック信号を始動することを容易にする。ユーザー入力構成要素９３４もビデオクオートの生成、編集及び共有を容易にすることができる。ユーザー入力構成要素９３４は、例えば、キーパッド、キーボード、マウス、スタイラスペン及び／又はタッチスクリーン等のこうした従来の入力デバイス技術を含むことができる。
【００８７】
再度アプリケーション９０６を参照すると、ヒステリシス構成要素９３６は、アクセスポイントに関連付けるときを決定するために利用されるヒステリシスデータの解析及び処理を容易にする。Ｗｉ−Ｆｉトランシーバー９１３がアクセスポイントのビーコンを検出すると、ヒステリシス構成要素９３６のトリガーを容易にするソフトウェアトリガー構成要素９３８が提供され得る。ＳＩＰクライアント９４０は、ハンドセット９００がＳＩＰプロトコルをサポートし、ＳＩＰレジスターサーバーに加入者を登録することを可能にする。アプリケーション９０６は、マルチメディアコンテンツ、例えば音楽の少なくとも発見、再生及び記憶の能力を提供するクライアント９４２も含むことができる。
【００８８】
ハンドセット９００は、通信構成要素９１０に関連して上記で示したように、室内ネットワーク無線トランシーバー９１３（例えば、Ｗｉ−Ｆｉトランシーバー）を含む。この機能は、デュアルモードＧＳＭハンドセット９００についてＩＥＥＥ  ８０２．１１等の室内無線リンクをサポートする。ハンドセット９００は、無線音声及びデジタル無線チップセットを組み合わせて単一ハンドヘルドデバイスにし得るハンドセットを通して少なくとも衛星無線サービスを収容することができる。
【００８９】
ここで、図１０を参照すると、本明細書において説明される１つ以上の実施形態による、無線通信を容易にするシステムアーキテクチャにおいて関与するように動作可能な一例示のコンピューター１０００の一例示のブロック図が示されている。コンピューター１０００は、有線又は無線通信ネットワークと、サーバー（例えば、Ｍｉｃｒｏｓｏｆｔ社のサーバー）及び／又は通信デバイスとの間のネットワーク接続及び通信能力を提供することができる。その種々の態様について更なる状況を提供するために、図１０及び以下の論述は、革新の種々の態様を実施して、エンティティと第３者との間のトランザクションの確立を容易にすることができる、適したコンピューティング環境の簡潔な一般的説明を提供することを意図している。上記の説明は、１つ以上のコンピューター上で実行することができるコンピューター実行可能命令に一般的に関連するものであるが、革新は、他のプログラムモジュールと組み合わせて及び／又はハードウェア及びソフトウェアの組み合わせとしても実施され得ることを当業者であれば認識するであろう。
【００９０】
一般に、プログラムモジュールは、特定のタスクを実行するか又は特定の抽象データタイプを実装するルーチン、プログラム、構成要素、データ構造等を含む。更に、本発明の方法は、それぞれを１つ以上の関連するデバイスに動作可能に結合することができる、シングルプロセッサ又はマルチプロセッサコンピューターシステム、ミニコンピューター、メインフレームコンピューター及びパーソナルコンピューター、ハンドヘルドコンピューティングデバイス、マイクロプロセッサベース又はプログラマブル消費者向け電子機器等を含む他のコンピューターシステム構成とともに実施できることを当業者であれば理解するであろう。
【００９１】
革新の例示される態様は、特定のタスクが通信ネットワークを通してリンクされるリモート処理デバイスによって実行される分散型コンピューティング環境において実施することもできる。分散型コンピューティング環境では、プログラムモジュールをローカルメモリ記憶デバイス及びリモートメモリ記憶デバイス内の両方に配置することができる。
【００９２】
コンピューティングデバイスは、通常、種々の媒体を含み、それらの媒体は、コンピューター可読記憶媒体又は通信媒体を含むことができ、その２つの用語は、以下のように本明細書において互いに異なって用いられる。
【００９３】
コンピューター可読記憶媒体は、コンピューターによってアクセスすることができる任意の入手可能な記憶媒体であり得、揮発性及び不揮発性媒体、取外し可能及び取外し不能媒体の両方を含む。例として、限定はしないが、コンピューター可読記憶媒体は、コンピューター可読命令、プログラムモジュール、構造化データ又は非構造化データ等の情報を記憶するための任意の方法又は技術に関連して実現することができる。コンピューター可読記憶媒体は、限定はしないが、ＲＡＭ、ＲＯＭ、ＥＥＰＲＯＭ、フラッシュメモリ若しくは他のメモリ技術、ＣＤ−ＲＯＭ、デジタルバーサタイルディスク（ＤＶＤ）若しくは他の光ディスクストレージ、磁気カセット、磁気テープ、磁気ディスクストレージ若しくは他の磁気記憶デバイス又は所望の情報を記憶するために用いることができる他の有形及び／若しくは非一時的媒体を含むことができる。コンピューター可読記憶媒体は、媒体によって記憶される情報に関する種々の動作のために、例えばアクセス要求、問い合わせ又は他のデータ検索プロトコルを介して１つ以上のローカル又はリモートコンピューティングデバイスによってアクセスすることができる。
【００９４】
通信媒体は、被変調データ信号、例えば搬送波又は他の搬送機構等のデータ信号においてコンピューター可読命令、データ構造、プログラムモジュール又は他の構造化若しくは非構造化データを具現化することができ、任意の情報送達又は搬送媒体を含む。「被変調データ信号」又は信号という用語は、１つ以上の信号内に情報を符号化するように設定又は変更される特性の１つ以上を有する信号を指している。例として、限定はしないが、通信媒体は、有線ネットワーク又は直結される接続等の有線媒体並びに音響、ＲＦ、赤外線及び他の無線媒体等の無線媒体を含む。
【００９５】
図１０を参照すると、エンドユーザーデバイスに関して本明細書で述べる種々の態様を実装することは、処理ユニット１００４、システムメモリ１００６及びシステムバス１００８を含むコンピューター１０００を含むことができる。システムバス１００８は、限定はしないが、システムメモリ１００６を含むシステム構成要素を処理ユニット１００４に結合する。処理ユニット１００４は、種々の市販のプロセッサのいずれかであり得る。処理ユニット１００４として、デュアルマイクロプロセッサ及び他のマルチプロセッサアーキテクチャも利用することができる。
【００９６】
システムバス１００８は、種々の市販のバスアーキテクチャのいずれかを用いて、メモリバス（メモリコントローラーを備えるか又は備えない）、周辺機器用バス及びローカルバスに更に相互接続することができる幾つかのタイプのバス構造のいずれかであり得る。システムメモリ１００６は、リードオンリーメモリ（ＲＯＭ）１０２７及びランダムアクセスメモリ（ＲＡＭ）１０１２を含む。ＲＯＭ、ＥＰＲＯＭ、ＥＥＰＲＯＭ等の不揮発性メモリ１０２７内に基本入出力システム（ＢＩＯＳ）が記憶され、ＢＩＯＳは、起動中等、コンピューター１０００内の要素間で情報を転送することを促進する基本ルーチンを含む。ＲＡＭ１０１２は、データをキャッシュするためのスタティックＲＡＭ等の高速ＲＡＭも含むことができる。
【００９７】
コンピューター１０００は、適切なシャーシ（図示せず）において外部で用いるように構成することもできる内部ハードディスクドライブ（ＨＤＤ）１０１４（例えば、ＥＩＤＥ、ＳＡＴＡ）と、磁気フロッピーディスクドライブ（ＦＤＤ）１０１６（例えば、取外し可能ディスケット１０１８に対する読出し又は書込み用）と、光ディスクドライブ１０２０（例えば、ＣＤ−ＲＯＭディスク１０２２の読出し又はＤＶＤのような他の大容量光学媒体に対する読出し若しくは書込み用）とを更に含む。ハードディスクドライブ１０１４、磁気ディスクドライブ１０１６及び光ディスクドライブ１０２０は、それぞれハードディスクドライブインターフェース１０２４、磁気ディスクドライブインターフェース１０２６及び光ドライブインターフェース１０２８により、システムバス１００８に接続することができる。外部ドライブを実現するためのインターフェース１０２４は、ユニバーサルシリアルバス（ＵＳＢ）及びＩＥＥＥ  １３９４インターフェース技術の少なくとも一方又は両方を含む。他の外部ドライブ接続技術も本革新の考慮の範囲内にある。
【００９８】
ドライブ及びその関連するコンピューター可読媒体は、データ、データ構造、コンピューター実行可能命令等の不揮発性記憶を提供する。コンピューター１０００の場合、ドライブ及び媒体は、適切なデジタルフォーマットにおいて任意のデータの記憶に対応する。上記のコンピューター可読媒体の説明は、ＨＤＤ、取外し可能磁気ディスケット及びＣＤ又はＤＶＤ等の取外し可能光媒体を参照するが、ジップドライブ、磁気カセット、フラッシュメモリカード、カートリッジ等、コンピューター１０００によって読出し可能である他のタイプの媒体も例示的な動作環境において使用できること、及び更に、任意のそのような媒体は、開示される革新の方法を実行するためのコンピューター実行可能命令を含み得ることが当業者によって理解されるべきである。
【００９９】
ドライブ及びＲＡＭ１０１２内において、オペレーティングシステム１０３０、１つ以上のアプリケーションプログラム１０３２、他のプログラムモジュール１０３４及びプログラムデータ１０３６を含む複数のプログラムモジュールを記憶することができる。オペレーティングシステム、アプリケーション、モジュール及び／又はデータの全て又は一部をＲＡＭ１０１２にキャッシュすることもできる。革新は、種々の市販のオペレーティングシステム又はオペレーティングシステムの組み合わせによって実装され得ることが理解される。
【０１００】
ユーザーは、１つ以上の有線／無線入力デバイス、例えばキーボード１０３８及びマウス１０４０等のポインティングデバイスを通してコンピューター１０００にコマンド及び情報を入力することができる。他の入力デバイス（図示せず）は、マイクロフォン、ＩＲ遠隔制御、ジョイスティック、ゲームパッド、スタイラスペン、タッチスクリーン等を含むことができる。これらの入力デバイス及び他の入力デバイスは、多くの場合、システムバス１００８に結合される入力デバイスインターフェース１０４２を通して処理ユニット１００４に接続されるが、パラレルポート、ＩＥＥＥ  １３９４シリアルポート、ゲームポート、ＵＳＢポート、ＩＲインターフェース等の他のインターフェースによって接続することもできる。
【０１０１】
モニター１０４４又は他のタイプのディスプレイデバイスもビデオアダプター１０４６等のインターフェースを介してシステムバス１００８に接続される。モニター１０４４に加えて、コンピューター１０００は、通常、スピーカー、プリンター等の他の周辺出力デバイス（図示せず）を含む。
【０１０２】
コンピューター１０００は、リモートコンピューター１０４８等の１つ以上のリモートコンピューターとの有線及び／又は無線通信を介した論理接続を用いてネットワーク化された環境において動作することができる。リモートコンピューター１０４８は、ワークステーション、サーバーコンピューター、ルーター、パーソナルコンピューター、ポータブルコンピューター、マイクロプロセッサ内蔵娯楽機器、ピアデバイス又は他の共通ネットワークノードであり得、通常、コンピューターに関して説明される要素の多く又は全てを含むが、簡潔にするために１つのメモリ／記憶デバイス１０５０のみが示される。図示される論理接続は、ローカルエリアネットワーク（ＬＡＮ）１０５２及び／又はより大きいネットワーク、例えばワイドエリアネットワーク（ＷＡＮ）１０５４への有線／無線接続を含む。そのようなＬＡＮ及びＷＡＮネットワーク化環境は、オフィス及び企業で一般的であり、その全てがグローバル通信ネットワーク、例えばインターネットに接続することができるイントラネット等の企業規模のコンピューターネットワークを容易にする。
【０１０３】
ＬＡＮネットワーク化環境において用いられるとき、コンピューター１０００は、有線及び／又は無線通信ネットワークインターフェース又はアダプター１０５６を通してローカルネットワーク１０５２に接続される。アダプター１０５６は、ＬＡＮ１０５２との有線又は無線通信を容易にすることができ、ＬＡＮは、それに配置され、無線アダプター１０５６と通信するための無線アクセスポイントも含むことができる。
【０１０４】
ＷＡＮネットワーク化環境において用いられるとき、コンピューター１０００は、モデム１０５８を含むことができるか、又はＷＡＮ１０５４上の通信サーバーに接続されるか、又は例えばインターネットにより、ＷＡＮ１０５４を介して通信を確立するための他の手段を有する。モデム１０５８は、内部又は外部及び有線又は無線デバイスであり得、入力デバイスインターフェース１０４２を介してシステムバス１００８に接続される。ネットワーク化された環境では、コンピューターに関して図示されるプログラムモジュール又はその一部は、リモートメモリ／記憶デバイス１０５０に記憶することができる。図示されるネットワーク接続は、例であり、コンピューター間に通信リンクを確立する他の手段を用い得ることが理解されるであろう。
【０１０５】
コンピューターは、無線通信において動作可能に配置される任意の無線デバイス又はエンティティ、例えばプリンター、スキャナー、デスクトップ及び／又はポータブルコンピューター、ポータブルデータアシスタント、通信衛星、無線で検出可能なタグに関連付けられる任意の機器又は場所（例えば、キオスク、ニューススタンド、化粧室）及び電話と通信するように動作可能である。これは、少なくともＷｉ−Ｆｉ及びＢｌｕｅｔｏｏｔｈ（商標）無線技術を含む。このようにして、通信は、従来のネットワーク又は単に少なくとも２つのデバイス間のアドホック通信の場合のような規定された構造であり得る。
【０１０６】
Ｗｉ−Ｆｉ、すなわちワイヤレスフィディリティにより、自宅の長椅子から、ホテルの部屋から又は仕事中に会議室から無線でインターネットに接続できるようになる。Ｗｉ−Ｆｉは、携帯電話において用いられるものに類似の無線技術であり、それにより、そのようなデバイス、例えばコンピューターが基地局の範囲内の屋内外いずれの場所にもデータを送信及び受信できるようになる。Ｗｉ−Ｆｉネットワークは、安全であり、信頼性があり、高速の無線接続性を提供するために、ＩＥＥＥ  ８０２．１１（ａ、ｂ、ｇ等）と呼ばれる無線技術を用いる。Ｗｉ−Ｆｉネットワークを用いて、コンピューターを互いに、インターネットに且つ有線ネットワーク（ＩＥＥＥ  ８０２．３又はＥｔｈｅｒｎｅｔを用いる）に接続することができる。Ｗｉ−Ｆｉネットワークは、例えば、免許不要２．４ＧＨｚ及び５ＧＨｚ無線帯域において、９Ｍｂｐｓ（８０２．１１ａ）若しくは５４Ｍｂｐｓ（８０２．１１ｂ）データレートで動作するか、又は両方の帯域（デュアルバンド）を含む製品を用いて動作するため、ネットワークは、多くのオフィスにおいて用いられる基本１６ＢａｓｅＴ有線Ｅｔｈｅｒｎｅｔネットワークに類似の実世界性能を提供することができる。
【０１０７】
従来の４Ｇシステムとは区別される５Ｇの一態様は、ＮＲの使用である。ＮＲアーキテクチャは、ＲＡＣＨ手順に用いられるリソースの独立した構成のために複数の配置事例をサポートするように設計することができる。ＮＲは、ＬＴＥによって提供されるサービスよりも更にサービスを提供することができるため、本明細書において論述されるように、ＬＴＥとＮＲとの間の相互作用を容易にするように、ＬＴＥとＮＲとの長所及び短所を活用することによって効率性をもたらすことができる。
【０１０８】
本明細書全体にわたって「１つの実施形態」又は「一実施形態」と言及するとき、これは、その実施形態に関連して説明された特定の特徴、構造又は特性が少なくとも１つの実施形態に含まれることを意味する。従って、本明細書全体にわたる様々な箇所で「１つの実施形態では」、「１つの態様では」又は「一実施形態では」という文言が出現しても、必ずしも全てが同じ実施形態を指しているわけではない。更に、特定の特徴、構造又は特性は、１つ以上の実施形態において任意の好適な方法で組み合わせることができる。
【０１０９】
本開示において用いられるとき、幾つかの実施形態において、「構成要素」、「システム」、「インターフェース」等の用語は、コンピューター関連エンティティ又は１つ以上の特定の機能を有する運用装置に関連するエンティティを指すか又は含むことを意図しており、そのエンティティは、ハードウェア、ハードウェア及びソフトウェアの組み合わせ、ソフトウェア又は実行中のソフトウェア及び／若しくはファームウェアのいずれかであり得る。例として、構成要素は、限定はしないが、プロセッサ上で実行されるプロセス、プロセッサ、オブジェクト、実行ファイル、実行スレッド、コンピューター実行可能命令、プログラム及び／又はコンピューターであり得る。例として、限定はしないが、サーバー上で実行されるアプリケーション及びサーバーの両方が構成要素であり得る。
【０１１０】
１つ以上の構成要素は、プロセス及び／又は実行スレッド内に常駐することができ、構成要素は、１つのコンピューター上に位置することができ、且つ／又は２つ以上のコンピューター間に分散させることができる。加えて、これらの構成要素は、種々のデータ構造を記憶している種々のコンピューター可読媒体から実行することができる。構成要素は、１つ以上のデータパケット（例えば、ローカルシステム内において、分散システム内で別の構成要素及び／又はインターネット等のネットワークにわたって信号を介して他のシステムと相互作用する１つの構成要素からのデータ）を含む信号に従うなど、ローカル及び／又はリモートプロセスを介して通信することができる。別の例として、構成要素は、１つ以上のプロセッサによって実行されるソフトウェアアプリケーション又はファームウェアアプリケーションによって動作する電気又は電子回路要素によって動作する機械部品によって提供される特定の機能を有する装置であり得る。ここで、プロセッサは、装置の内部又は外部にある可能性があり、ソフトウェア又はファームウェアアプリケーションの少なくとも一部を実行することができる。更なる別の例として、構成要素は、機械部品なしで電子構成要素を通して特定の機能を提供する装置であり得、その電子構成要素は、電子構成要素の機能を少なくとも部分的に与えるソフトウェア又はファームウェアを実行するために内部にプロセッサを含むことができる。一態様では、構成要素は、例えば、クラウドコンピューティングシステム内の仮想マシンを介して電子構成要素をエミュレートすることができる。種々の構成要素が別々の構成要素として例示されてきたが、例示的な実施形態から逸脱することなく、複数の構成要素を単一の構成要素として実現できるか、又は単一の構成要素を複数の構成要素として実現できることが理解されるであろう。
【０１１１】
更に、「例」及び「例示的」という用語は、事例又は例示としての役割を果たすことを意図して本明細書において用いられる。「例」又は「例示的」として本明細書において説明される任意の実施形態又は設計は、必ずしも他の実施形態又は設計より好ましいか又は有利であると解釈されるべきではない。むしろ、例又は例示的という言葉を用いることは、概念を具体的に提示することを意図している。本出願において用いられるとき、「又は」という用語は、排他的な「又は」ではなく、包含的な「又は」を意味することを意図している。すなわち、別段の指示がない限り又は文脈において明らかでない限り、「ＸがＡ又はＢを利用する」は、自然な包含的置換のいずれかを意味することを意図している。すなわち、ＸがＡを利用するか、ＸがＢを利用するか、又はＸがＡ及びＢの両方を利用する場合、上記の事例のいずれでも「ＸがＡ又はＢを利用する」が満たされる。加えて、本出願及び添付の特許請求の範囲において用いられるとき、冠詞「１つの（ａ）」及び「１つの（ａｎ）」は、別段の指示がない限り又は単数のものを対象とすることが文脈から明らかでない限り、一般に「１つ以上」を意味すると解釈されるべきである。
【０１１２】
その上、「モバイルデバイス機器」、「モバイル局」、「モバイル」、「加入者局」、「アクセス端末」、「端末」、「ハンドセット」、「通信デバイス」、「モバイルデバイス」等の用語（及び／又は類似の用語を表す用語）は、データ、制御、音声、ビデオ、サウンド、ゲーミング又は実質的に任意のデータストリーム若しくはシグナリングストリームを受信又は伝達するために、無線通信サービスの加入者又はモバイルデバイスによって利用される無線デバイスを指すことができる。上記の用語は、本明細書において且つ関連する図面を参照しながら同義で利用される。同様に、「アクセスポイント（ＡＰ）」、「基地局（ＢＳ）」、ＢＳ送受信機、ＢＳデバイス、セルサイト、セルサイトデバイス、「Ｎｏｄｅ  Ｂ（ＮＢ）」、「発展型Ｎｏｄｅ  Ｂ（ｅＮｏｄｅ  Ｂ）」、「ホームＮｏｄｅ  Ｂ（ＨＮＢ）」等の用語は、本出願において同義で利用され、１つ以上の加入者局との間でデータ、制御、音声、ビデオ、サウンド、ゲーミング又は実質的に任意のデータストリーム若しくはシグナリングストリームを送信及び／又は受信する無線ネットワーク構成要素又は電化製品を指す。データ及びシグナリングストリームは、パケット化された又はフレームベースのフローであり得る。
【０１１３】
更に、「デバイス」、「通信デバイス」、「モバイルデバイス」、「加入者」、「顧客エンティティ」、「消費者」、「顧客エンティティ」、「エンティティ」等の用語は、文脈上、それらの用語間を特に区別することが正当化されない限り、全体を通して同義で利用される。そのような用語は、人間エンティティを指すことができるか、又はシミュレートされたビジョン、音認識等を提供することができる人工知能（例えば、複雑な数学的表現に基づいて推論する能力）を通してサポートされる自動化された構成要素を指すことができることは理解されたい。
【０１１４】
本明細書において説明される実施形態は、限定はしないが、ワイヤレスフィディリティ（Ｗｉ−Ｆｉ）、モバイル通信用グローバルシステム（ＧＳＭ）、ユニバーサルモバイルテレコミュニケーションシステム（ＵＭＴＳ）、ワールドワイドインターオペラビリティフォーマイクロウェーブアクセス（ＷｉＭＡＸ）、拡張汎用パケット無線サービス（拡張ＧＰＲＳ）、第３世代パートナーシッププロジェクト（３ＧＰＰ）ロングタームエボリューション（ＬＴＥ）、第３世代パートナーシッププロジェクト２（３ＧＰＰ２）ウルトラモバイルブロードバンド（ＵＭＢ）、高速パケットアクセス（ＨＳＰＡ）、Ｚ−Ｗａｖｅ、Ｚｉｇｂｅｅ及び他の８０２．ＸＸ無線技術及び／又はレガシー電気通信技術を含む実質的に任意の無線通信技術において利用することができる。
【０１１５】
本明細書において説明される種々の態様は、Ｎｅｗ  Ｒａｄｉｏ（ＮＲ）に関することができ、Ｎｅｗ  Ｒａｄｉｏは、スタンドアローン無線アクセス技術又は例えばロングタームエボリューション（ＬＴＥ）等、別の無線アクセス技術によって支援される非スタンドアローン無線アクセス技術として展開することができる。種々の態様及び実施形態を本明細書において５Ｇ、ユニバーサルモバイル電気通信システム（ＵＭＴＳ）及び／又はロングタームエボリューション（ＬＴＥ）又は他の次世代ネットワークに関連して説明してきたが、その技法を３Ｇ、４Ｇ又はＬＴＥシステムにおいても適用することができるため、開示される態様は、５Ｇ、ＵＭＴＳ実装形態及び／又はＬＴＥ実装形態に限定されないことに留意するべきである。例えば、開示される実施形態の態様又は特徴は、実質的に任意の無線通信技術において活用することができる。そのような無線通信技術は、ＵＭＴＳ、符号分割多重アクセス（ＣＤＭＡ）、Ｗｉ−Ｆｉ、ワールドワイドインターオペラビリティフォーマイクロウェーブアクセス（ＷｉＭＡＸ）、汎用パケット無線サービス（ＧＰＲＳ）、拡張ＧＰＲＳ、第３世代パートナーシッププロジェクト（３ＧＰＰ）、ＬＴＥ、第３世代パートナーシッププロジェクト２（３ＧＰＰ２）ウルトラモバイルブロードバンド（ＵＭＢ）、高速パケットアクセス（ＨＳＰＡ）、発展型高速パケットアクセス（ＨＳＰＡ＋）、高速ダウンリンクパケットアクセス（ＨＳＤＰＡ）、高速アップリンクパケットアクセス（ＨＳＵＰＡ）、Ｚｉｇｂｅｅ又は別のＩＥＥＥ  ８０２．ＸＸ技術を含むことができる。更に、本明細書において開示される実質的に全ての態様をレガシー電気通信技術において活用することができる。
【０１１６】
本明細書において用いられる場合、「推論する」又は「推論」という用語は、一般に、イベント及び／又はデータを介して捕捉された観測値の組からシステム、環境、ユーザー及び／又は意図について推理するプロセス又はそれらの状態を推論するプロセスを指す。取り込まれたデータ及び事象は、ユーザーデータ、デバイスデータ、環境データ、センサーからのデータ、センサーデータ、アプリケーションデータ、暗黙的データ、明示的データ等を含むことができる。推論を用いて、特定の文脈又はアクションを識別することができるか、又は例えばデータ及び事象の考慮に基づいて、関心状態にわたる確率分布を生成することができる。
【０１１７】
推論は、イベント及び／又はデータの組からより高いレベルのイベントを構成するのに用いられる技法も指すことができる。そのような推論は、イベントが時間的に近接して相関されるか否かを問わず、またイベント及びデータが１つ又は幾つかのイベント源及びデータ源からのものであるか否かを問わず、観測されたイベント及び／又は記憶されたイベントデータの組からの新たなイベント又は動作の構築をもたらす。種々の分類手順及び／又は分類システム（例えば、サポートベクターマシン、ニューラルネットワーク、エキスパートシステム、ベイジアン信念ネットワーク、ファジー論理及びデータ融合エンジン）を、開示される主題と関連した自動的な及び／又は推論された動作の実行とともに用いることができる。
【０１１８】
更に、種々の実施形態は、標準的なプログラミング及び／又はエンジニアリング技法を用いて、開示される主題を実現するようにコンピューターを制御するソフトウェア、ファームウェア、ハードウェア又はその任意の組み合わせをもたらす方法、装置又は製品として実現することができる。本明細書において用いられる場合、「製品」という用語は、任意のコンピューター可読デバイス、機械可読デバイス、コンピューター可読キャリア、コンピューター可読媒体、機械可読媒体、コンピューター可読（又は機械可読）記憶／通信媒体からアクセス可能なコンピュータープログラムを含むことを意図している。例えば、コンピューター可読媒体は、限定はしないが、磁気記憶デバイス、例えばハードディスク、フロッピーディスク、磁気ストリップ、光ディスク（例えば、コンパクトディスク（ＣＤ）、デジタルビデオディスク（ＤＶＤ）、Ｂｌｕ−ｒａｙディスク（商標）（ＢＤ））、スマートカード、フラッシュメモリデバイス（例えば、カード、スティック、キードライブ）及び／若しくは記憶デバイスを模倣する仮想デバイス並びに／又は上記のコンピューター可読媒体の任意のものを含むことができる。当然のことながら、種々の実施形態の範囲及び趣旨から逸脱することなく、この構成に対する多くの変更形態がなされ得ることが当業者に認識されるであろう。
【０１１９】
要約書において記述されることを含む、本開示の例示される実施形態の上記の記述は、網羅的に述べることを意図するものではなく、開示される実施形態を開示されるのと全く同じ形態に限定することを意図するものでもない。例示のために本明細書において具体的な実施形態及び例が記述されるが、当業者が認識できるようなそのような実施形態及び例の範囲内で考えられる種々の変更形態が可能である。
【０１２０】
これに関連して、本主題は、種々の実施形態及び対応する図に関連して本明細書において記述されてきたが、適用可能な場合、開示される主題から逸脱することなく、他の類似の実施形態を用いることができるか、又は開示される主題の同じ機能、類似の機能、代替機能若しくは代用機能を実行するために、記述される実施形態に対する変更形態及び追加形態がなされ得ることを理解されたい。従って、開示される主題は、本明細書において記述される任意の単一の実施形態に限定されるべきではなく、以下に添付の特許請求の範囲による広さ及び範囲内で解釈されるべきである。
【図１】
2022502930.tif 000013
【図２】
2022502930.tif 000014
【図３】
2022502930.tif 000015
【図４】
2022502930.tif 000016
【図５】
2022502930.tif 000017
【図６】
2022502930.tif 000018
【図７】
2022502930.tif 000019
【図８】
2022502930.tif 000020
【図９】
2022502930.tif 000021
【図１０】
2022502930.tif 000022
【国際調査報告】
2022502930.tif 000023
2022502930.tif 000024